(57)【要約】  【課題】  排気から油塵を分離除去しつつ換気扇や集中ダクトを使用することなく排気を行うことができ、建物への施工負担を軽減するとともに、その施工に要するコスト低減を図る厨房排気設備を提供すること。  【解決手段】  排気フード２の集煙空間２ａに集められた煙は、その排気フード２の上方に並設されるケーシング３の収容空間５内に収容されている排気処理装置７へ向かう気流と一緒に排気処理装置７の油塵除去部へと吸い込まれる。油煙除去部では、煙を含んだ空気が通過することにより、煙に含まれている油塵、即ち、油分や塵が分離除去される。そして、油塵が除去された空気は、排気処理装置７の送風機７ｂから排出されて排気チャンバー９を介して排気口１１から排気ダクト１３を経て屋外へ排気される。【選択図】        図５
2012042062.tif 000002
【特許請求の範囲】
【請求項１】
厨房機器の使用により発生する煙を厨房の外へ排気する厨房排気設備において、
煙を集める集煙空間を有する排気フードと、
その排気フードとは別体に形成され、当該排気フードの上側に連結して設けられ、前記集煙空間から分離した別の空間である収容空間を内部に有するケーシングとを備えていることを特徴とする厨房排気設備。
【請求項２】
前記ケーシングの収容空間内に配設されて前記排気フードの集煙空間と連通されるとともに、更に、その集煙空間から空気を吸入する吸気部と、その吸気部により吸入される空気が通過することにより油塵を分離除去する油塵除去部とを有している排気処理装置と、
その排気処理装置から排出される空気を屋外へ排気するために前記ケーシングに設けられる排気口とを備えていることを特徴とする請求項１記載の厨房排気設備。
【請求項３】
前記ケーシングは、前記排気フードと厨房の天井との間に設けられており、
前記排気口は、そのケーシングの背面部から壁を通って建物の屋外に連通する排気ダクトと接続されるものであることを特徴とする請求項２記載の厨房排気設備。
【請求項４】
前記ケーシングは、前記排気フードと厨房の天井との間に設けられており、
前記排気口は、そのケーシングの上部から天井裏を通って建物の屋外に連通する排気ダクトと接続されるものであることを特徴とする請求項２記載の厨房排気設備。
【請求項５】
前記排気口に加えて又はその排気口に代えて、前記排気処理装置から排出される空気を屋内へ送風するために前記ケーシングに設けられる送風口を備えていることを特徴とする請求項２から４のいずれかに記載の厨房排気設備。
【請求項６】
前記排気処理装置は、空気から臭気を除去する脱臭処理部を備えていることを特徴とする請求項２から５のいずれかに記載の厨房排気設備。
【請求項７】
前記排気処理装置は、二酸化炭素を触媒により還元除去する触媒還元処理部を備えていることを特徴とする請求項２から６のいずれかに記載の厨房排気設備。
【発明の詳細な説明】
【技術分野】
【０００１】
本発明は、厨房機器の使用により発生する煙を厨房の外へ排気するための厨房排気設備に関するものである。
【背景技術】
【０００２】
従来の厨房排気設備によれば、加熱調理により生じる油煙、食器洗浄機や給湯設備などから発生する水蒸気、その他の厨房用機器が発生する各種の煙（けむり）は、厨房から屋外へ排気されている。このような、厨房排気設備は、煙の厨房内への拡散を防止するため、調理機器、食器洗浄機、給湯設備などの煙の発生源の上方に排気フードが設置されている。
【０００３】
このような排気フード内には、壁取付け型の換気扇や、建物内の空調を集中して行う空調装置へと通じる集中ダクトが接続されており、排気フード内にある煙は、これらの換気扇や集中ダクトを通じて屋外へと排気されている。
【先行技術文献】
【特許文献】
【０００４】
【特許文献１】特開２００１−１６５４８３号公報
【発明の概要】
【発明が解決しようとする課題】
【０００５】
しかしながら、従来の厨房排気設備において、換気扇を使用すると、排気フードにより集められた油煙を直接屋外へ排気することとなるため、油塵が建物外壁に付着してこれを汚損したり、近隣へ散逸したりするという問題点があった。
【０００６】
これに対し、集中ダクトを使用する場合には、厨房全体から生じる排気を屋上に設けられる排気処理装置へ集めて集中処理するために厨房からの屋上まで集中ダクトを配管する必要があることから、厨房排気設備が大型化して施工コストも嵩むうえ、当該設備の施工に伴って建物の負担も大きくなるという問題点もあった。
【０００７】
本発明は、上述した問題点を解決するためになされたものであり、排気から油塵を分離除去しつつ換気扇や集中ダクトを使用することなく排気を行うことができ、建物への施工負担を軽減するとともに、その施工に要するコスト低減を図る厨房排気設備を提供することを目的としている。
【課題を解決するための手段】
【０００８】
この目的を達成するために請求項１の厨房排気設備は、厨房機器の使用により発生する煙を厨房の外へ排気するものであり、煙を集める集煙空間を有する排気フードと、その排気フードとは別体に形成され、当該排気フードの上側に連結して設けられ、前記集煙空間から分離した別の空間である収容空間を内部に有するケーシングとを備えている。
【０００９】
この請求項１の厨房排気設備によれば、排気フードは、厨房機器の上方に設置される。例えば、加熱調理器具、食器洗浄機、給湯設備その他の厨房機器を使用する場合、その使用により発生する煙、具体的には、調理により発生する油煙や食器洗浄機等から発生する水蒸気は、排気フードの集煙空間に集められる。
【００１０】
この排気フードの上部にはケーシングが設けられ、このケーシング内に収容空間が設けられるので、排気フードの集煙空間から煙を吸引して清浄化処理を行う排気処理装置を、排気フードに隣接した収容空間内に収容設置することができる。
【００１１】
よって、従来のように屋上に大型の排気処理装置を設置する必要がなく、その大型の排気処理装置まで繋がる集中ダクトを配管する必要もない。また、ケーシングの収容空間内に排気処理装置を内蔵できることで、油煙を屋外に直接排気することも防止される。
【００１２】
請求項２の厨房排気設備は、請求項１の厨房排気設備において、前記ケーシングの収容空間内に配設されて前記排気フードの集煙空間と連通されるとともに、更に、その集煙空間から空気を吸入する吸気部と、その吸気部により吸入される空気が通過することにより油塵を分離除去する油塵除去部とを有している排気処理装置と、その排気処理装置から排出される空気を屋外へ排気するために前記ケーシングに設けられる排気口とを備えている。
【００１３】
この請求項２の厨房排気設備によれば、請求項１の厨房排気設備と同様に作用する上、調理により発生する油煙や食器洗浄機等から発生する水蒸気は、排気フードの集煙空間に集められる。この集煙空間には、排気処理装置の吸気部によって、当該排気処理装置へ向かう空気の流れ（気流）が生成されている。
【００１４】
このため、集煙空間に集められた煙は、排気処理装置へ向かう気流と一緒に排気処理装置の油塵除去部へと吸い込まれる。油煙除去部では、煙を含んだ空気が通過することにより、煙に含まれている油塵、即ち、油分や塵が分離除去される。そして、油塵が除去された空気は、排気処理装置から排出されて排気口から屋外へ排気される。
【００１５】
請求項３の厨房排気設備は、請求項２の厨房排気設備において、前記ケーシングは、前記排気フードと厨房の天井との間に設けられており、前記排気口は、そのケーシングの背面部から壁を通って建物の屋外に連通する排気ダクトと接続されるものである。
【００１６】
請求項４の厨房排気設備は、請求項２の厨房排気設備において、前記ケーシングは、前記排気フードと厨房の天井との間に設けられており、前記排気口は、そのケーシングの上部から天井裏を通って建物の屋外に連通する排気ダクトと接続されるものである。
【００１７】
請求項３又は４の厨房排気設備によれば、請求項２の厨房排気設備と同様に作用する上、排気処理装置からケーシングにある排気口から排出される排気は、排気ダクトを通じて、ケーシングの背面部の壁又はその直上部の天井裏を通って建物の屋外へ排出される。このため、集中ダクトを屋上まで配管する場合に比べて、排気ダクトの長さを大幅に短縮でき、その配管工事も簡素化できる。
【００１８】
請求項５の厨房排気設備は、請求項２から４のいずれかの厨房排気設備において、前記排気口に加えて又はその排気口に代えて、前記排気処理装置から排出される空気を屋内へ送風するために前記ケーシングに設けられる送風口を備えている。
【００１９】
この請求項５の厨房排気設備によれば、請求項２から４のいずれかの厨房排気設備と同様に作用する上、油塵が排気処理装置の油塵除去部により除去された清浄な空気を、ケーシングにある送風口から屋内へ送風することができる。ここで、排気処理装置により油塵が除去された空気は、油煙や水蒸気の熱により加熱されていることから、屋内の暖房用の送風として熱の有効利用を図ることができる。結果、冬季の暖房コストを低減できる。
【００２０】
請求項６の厨房排気設備は、請求項２から５のいずれかの厨房排気設備において、前記排気処理装置は、空気から臭気を除去する脱臭処理部を備えている。よって、例えば、油煙に含まれる油塵が除去されることに加えて、屋外へ排出される排気から臭気を除去できるので、かかる臭気が近隣に散逸することを防止できる。
【００２１】
請求項７の厨房排気設備は、請求項２から６のいずれかの厨房排気設備において、前記排気処理装置は、二酸化炭素を触媒により還元除去する触媒還元処理部を備えている。よって、厨房機器がガスコンロなどの化石燃料を使用した燃焼を伴うものである場合には、その燃焼に伴う煙に含まれる二酸化炭素を還元除去することができる。
【発明の効果】
【００２２】
本発明の厨房排気設備によれば、排気フードの上部に収容空間を有したケーシングが併設されるので、このケーシングの収容空間内に排気処理装置を収容させることによって、排気フードの集煙空間から煙を吸引して清浄化する設備を排気フードに隣接設置できる。このため、建物の屋上に大型の排気処理装置を設置する必要がなく、かつ、そこまで集中ダクトを配管することも不要なので、従来の大型の厨房排気設備に比べて初期の施工コストを低減でき、当該大型設備の設置に伴う建物の負担も軽減できるという効果がある。
【００２３】
また、従来の換気扇を用いた厨房排気設備のように、排気フードにより集められた油煙を直接屋外へ排気する必要もなくなるので、油塵が、建物外壁に付着してこれを汚損することもなく、近隣へ散逸することも防止できるという効果がある。
【図面の簡単な説明】
【００２４】
【図１】本発明の一実施形態である厨房排気ユニットの概略構成図である。
【図２】厨房排気ユニットの正面図である。
【図３】厨房排気ユニットの正面図であってケーシングから正面幕板を取り外した状態を図示したものである。
【図４】厨房排気ユニットの平面図である。
【図５】厨房排気ユニットの設置状態の一例を示した断面図である。
【図６】厨房排気ユニットの設置状態の一例を示した正面図である。
【図７】第２実施形態である厨房排気ユニットの概略構成図である。
【図８】第３実施形態である厨房排気ユニットの概略構成図である。
【図９】第４実施形態である厨房排気ユニットの設置状態の一例を示した断面図である。
【発明を実施するための形態】
【００２５】
以下、本発明の好ましい実施形態について、添付図面を参照して説明する。図１は、本発明の一実施形態である厨房排気ユニット１の概略構成図である。なお、本実施形態では、厨房機器１５の一例としてガスコンロを用いて説明するが、かかる厨房機器１５は必ずしもこれに限定されるものではなく、例えば、電気加熱調理機、食器洗浄機その他油煙や水蒸気などの煙を発生する機器であればよい。
【００２６】
図１に示すように、厨房排気ユニット１は、厨房機器１５の使用により発生する煙を厨房の外へ排気するものであり、主に、排気フード２と、ケーシング３とを備えている。排気フード２は、煙を集める集煙空間２ａを有している。この排気フード２の天板２ｂには、煙を含んだ空気を吸入するための給気口４が設けられている。
【００２７】
また、この厨房排気ユニット１は、給気ダクト６と、排気処理装置７と、排気チャンバー８と、送風チャンバー９とが、ケーシング３内の収容空間５に配設されている。給気ダクト６は、排気フード２の天板２ｂに設けられる給気口４と接続されており、この給気口４へ流入した空気は全て給気ダクト６を通じて排気処理装置７へ流入するようになっている。
【００２８】
排気処理装置７は、給気口４及び給気ダクト６を通じて排気フード２の集煙空間２ａと連通されており、主に、油塵除去部７ａと、送風機７ｂとを備えている。油塵除去部７ａは、給気ダクト６から流入した空気が通過することにより当該空気から油分及び塵を除去するユニットである。送風機７ｂは、例えば、多翼ファン（シロッコファン）などの遠心送風機器であり、その吸込口が油塵除去部７ａの吐出側に接続され、その吐出口が排気チャンバー８に接続されている。
【００２９】
この送風機７ｂは、電源（図示せず。）から電力供給を受けて駆動されるモータ（図示せず。）により多翼ファン羽根車（図示せず。）を回転して、吸込口から吸い込んだ空気を吐出口へと吐き出すものである。この送風機７ｂが駆動されると、排気フード２の集煙空間２ａから給気口４、給気ダクト６及び油塵除去部７ａを通じて送風機７ｂへ向かう空気の流れが生成され、この気流に乗って集煙空間２ａ内にある煙が油塵除去部７ａを通過して送風機７ｂへと吸い込まれる。
【００３０】
排気処理装置７の送風機７ｂの吐出口には排気チャンバー８が接続されており、この排気チャンバー８を介して排気口１１（図２及び図３参照。）から排気が屋外へ排出されるようになっている。また、排気チャンバー８には、更に、送風ダクト１０を介して送風チャンバー９が接続されており、この送風チャンバー９介して送風口１２（図２参照。）から屋内へ送風が行われるようになっている。
【００３１】
図２は、厨房排気ユニット１の正面図である。図２に示すように、排気フード２の上部に連結されるケーシング３の正面部は、その全体が正面幕板３ｂにより覆われており、この正面幕板３ｂの右側の一部には室内へ送風するための送風口１２が開口形成されている。この送風口１２は、正面幕板３ｂに穿設される多数のスリットが集合して形成されている。
【００３２】
図３は、厨房排気ユニット１の正面図であってケーシング３から正面幕板３ｂを取り外した状態を図示したものである。図３に示すように、送風口１２の背後には、送風チャンバー９が設けられており、この送風チャンバー９の正面部は、その全面が送風口１２と連通するように開放されている。
【００３３】
ここで、ケーシング３は、排気フード２とは別体に形成されており、当該排気フード２の天板２ｂ上に設置されている。このケーシング３は、直方体状の枠体に形成されたフレーム３ａと、フレーム３ａの正面部を覆う正面幕板３ｂと、フレーム３ａの左右の両側面部を覆う一対の側面幕板３ｃ，３ｃと、フレーム３ａの背面部を覆う背面幕板３ｄとを備えている。なお、各幕板３ｂ〜３ｄは、フレーム３ａに図示しないビスにより取着されている。
【００３４】
そして、このケーシング３は、その上面部が厨房の天井Ｃにより覆われており（図５参照。）、全体として直方体状の中空箱状体に形成されている。また、このケーシング３は、そのフレーム３ａがビスなどのねじ部品（図示せず。）を介して排気フード２の上部に連結されており、このケーシング３の内部には、排気フード２の集煙空間２ａから分離した別の空間である収容空間５が形成されている。
【００３５】
図４は、厨房排気ユニット１の平面図である。図４に示すように、ケーシング３の上面には天板がなく、当該ケーシング３の上端面は厨房の天井Ｃにより閉塞されるようになっている。これに対し、ケーシング３の収容空間５の底面は、排気フード２の天板２ｂにより閉塞されるようになっている。
【００３６】
このケーシング３のフレーム３ａは、排気フード２の天板２ｂが当接した状態で連結固定されている。また、ケーシング３の収容空間５の背面部には、給気ダクト６が配管されており、この給気ダクト６は、排気フード２の天板２ｂに貫通形成される給気口４と連通されている。
【００３７】
給気ダクト６は、排気処理装置７の油塵除去部７ａの吸込側に接続されており、この排気処理装置７の油塵除去部７ａの吐出側には、送風機７ｂが接続されている。この送風機７ｂの吐出口には排気チャンバー８が接続されており、この排気チャンバー８の上端部には排気を屋外へ排出するための排気口１１が開口形成されている。
【００３８】
排気チャンバー８には、送風ダクト１０を介して送風チャンバー９が接続されており、この送風チャンバー９は、その内部がケーシング３の正面幕板３ｂにある送風口１２と連通されている。排気処理装置７により油塵が除去された空気は、油煙や水蒸気の熱により加熱されていることから、屋内の暖房用の送風として熱の有効利用を図ることができる。
【００３９】
図５は、厨房排気ユニット１の設置状態の一例を示した断面図である。図５に示すように、厨房排気ユニット１のケーシング３は、排気フード２と厨房の天井Ｃとの間に設けられており、排気口１１は、そのケーシング３の上部から天井Ｃ裏を通って建物の屋外に連通する排気ダクト１３と接続されている。これにより、排気ダクト１３の大幅に短縮化できる。
【００４０】
図６は、厨房排気ユニット１の設置状態の一例を示した正面図である。図６に示すように、厨房排気ユニット１は、厨房機器１５のサイズに応じてそのサイズが決定されており、排気フード２の横幅が、二口型の厨房機器１５の横幅と同程度となっている。また、２つの厨房排気ユニット１が横幅方向（図６の左右方向）に互いに連結された状態で並設されており、厨房排気ユニット１を厨房機器１５毎に設置することができる。
【００４１】
上記のように構成された厨房排気ユニット１によれば、図６に示すように、排気フード２は、厨房機器１５の上方に設置される。厨房機器１５の使用により発生する煙、具体的には、調理により発生する油煙や水蒸気は、排気フード２の集煙空間２ａに集められる。この集煙空間２ａには、排気処理装置７の送風機７ｂによって、排気処理装置７へ向かう空気の流れ（気流）が生成される。
【００４２】
このため、集煙空間２ａに集められた煙は、排気処理装置７へ向かう気流と一緒に排気処理装置７の油塵除去部７ａへと吸い込まれる。油煙除去部７ａでは、煙を含んだ空気が通過することにより、煙に含まれている油塵、即ち、油分や塵が分離除去される。そして、油塵が除去された空気は、排気処理装置７の送風機７ｂから排出され、排気チャンバー９を介して排気口１１へ排気され、更に、排気ダクト１３を通じて屋外へと排気される。
【００４３】
また、排気処理装置７の送風機７ｂから排出された空気は、排気チャンバー８から送風ダクト１０を介して送風チャンバー９へも送られ、この送風チャンバー９を介して送風口１２から屋内へと送風される。これにより、油塵が排気処理装置７の油塵除去部７ａにより除去された清浄な空気を、ケーシング３にある送風口１２から屋内へ送風することができる。
【００４４】
次に、図７から図９を参照して、上記した第１実施形態の変形例について説明する。
【００４５】
図７は、第２実施形態である厨房排気ユニット２０の概略構成図である。第２実施形態の厨房排気ユニット２０は、上記した第１実施形態である厨房排気ユニット１に対し、排気処理装置に脱臭機能ｃを追加したものである。以下、第１実施形態と同一の部分には同一の符号を付して、その説明を省略し、異なる部分のみを説明する。
【００４６】
図７に示すように、第２実施形態の厨房排気ユニット２０によれば、排気処理装置７は、空気から臭気を除去する脱臭処理部７ｃを備えているので、油煙に含まれる油塵が除去されることに加えて、屋外へ排出される排気から臭気を除去でき、かかる臭気が近隣に散逸することを防止できる。
【００４７】
図８は、第３実施形態である厨房排気ユニット３０の概略構成図である。第３実施形態の厨房排気ユニット３０は、上記した第１実施形態である厨房排気ユニット１に対し、排気処理装置に二酸化炭素の触媒還元機能を追加したものである。以下、第１実施形態と同一の部分には同一の符号を付して、その説明を省略し、異なる部分のみを説明する。
【００４８】
図８に示すように、第３実施形態の厨房排気ユニット３０によれば、排気処理装置７は、二酸化炭素を触媒により還元除去する触媒還元処理部７ｄを備えているので、厨房機器１５がガスコンロのように化石燃料を使用した燃焼を伴うものである場合には、その燃焼に伴う煙に含まれる二酸化炭素を還元除去することができる。
【００４９】
なお、第３実施形態の厨房排気ユニット３の触媒還元処理部７ｄを、第２実施形態の厨房排気ユニット２０に適用しても良い。
【００５０】
図９は、第４実施形態である厨房排気ユニット４０の設置状態の一例を示した断面図である。第４実施形態の厨房排気ユニット４０は、上記した第１実施形態である厨房排気ユニット１に対し、排気口の位置を変更することにより、排気ダクトの配管位置を変更したものである。以下、第１実施形態と同一の部分には同一の符号を付して、その説明を省略し、異なる部分のみを説明する。
【００５１】
図９に示すように、第４実施形態の厨房排気ユニット４０によれば、そのケーシング３は、排気フード２と厨房の天井Ｃとの間に設けられている。排気口４１は、排気チャンバー８の上端側背面に開口形成されており、そのケーシング３の背面部から壁Ｗを通って建物の屋外に連通する排気ダクト１３と接続されている。この結果、従来に比べて排気ダクト１３が大幅に短縮化されている。
【００５２】
以上、実施例に基づき本発明を説明したが、本発明は上記実施例に何ら限定されるものではなく、本発明の趣旨を逸脱しない範囲内で種々の改良変形が可能であることは容易に推察できるものである。
【符号の説明】
【００５３】
１，２０，３０，４０    厨房排気ユニット（厨房排気設備）
２                      排気フード
２ａ                    集煙空間
２ｂ                    天板
３                      ケーシング
４                      給気口
５                      収容空間
６                      給気ダクト
７                      排気処理装置
７ａ                    油塵除去部（排気処理装置の油塵除去部）
７ｂ                    送風機（排気処理装置の吸気部）
７ｃ                    脱臭処理部（排気処理装置の脱臭処理部）
７ｄ                    触媒還元処理部（排気処理装置の触媒還元処理部）
８                      排気チャンバー
９                      送風チャンバー
１０                    送風ダクト
１１，４１              排気口
１２                    送風口
１３                    排気ダクト
１５                    厨房機器
Ｃ                      天井
Ｗ                      壁
【図１】
2012042062.tif 000003
【図２】
2012042062.tif 000004
【図３】
2012042062.tif 000005
【図４】
2012042062.tif 000006
【図５】
2012042062.tif 000007
【図６】
2012042062.tif 000008
【図７】
2012042062.tif 000009
【図８】
2012042062.tif 000010
【図９】
2012042062.tif 000011